(57)【特許請求の範囲】
【請求項１】
無線通信のための方法であって、
異種の技術の信号を抑制または送信するために、１または複数のデータ・リソース・ブロックにおける複数のデータ・リソース要素のうちのパンクチャされたセットを決定することと、
前記複数のデータ・リソース要素のうちのパンクチャされたセットに少なくとも部分的に基づいて、前記複数のデータ・リソース要素の一部を、１または複数のデバイスへ割り当てることと、
前記複数のデータ・リソース要素のうちのパンクチャされたセットに少なくとも部分的に基づいて、前記複数のデータ・リソース要素の一部においてデータを符号化するための変調および符号化スキーム（ＭＣＳ）を選択することと、
前記複数のデータ・リソース要素にマップされた１または複数のコードブロックの期待されるパフォーマンスを計算することと
を備え、
前記ＭＣＳを選択することはさらに、前記期待されたパフォーマンスに少なくとも部分的に基づき、
前記期待されるパフォーマンスを計算することはさらに、前記ＭＣＳを用いて前記１または複数のコードブロックの期待される誤り率を決定することに少なくとも部分的に基づき、
前記割り当てられた複数のデータ・リソース要素の一部は、前記複数のデータ・リソース要素のうちのパンクチャされたセットとは異なる、方法。
【請求項２】
前記１または複数のコードブロックのうち、前記複数のデータ・リソース要素のうちのパンクチャされたセットのうちの最も大きな部分を含むコードブロックを決定することをさらに備え、
前記期待されるパフォーマンスを計算することは、前記コードブロックの期待されるパフォーマンスを計算することを含む、請求項１に記載の方法。
【請求項３】
前記複数のデータ・リソース要素を割り当てることはさらに、前記１または複数のデバイスのランク、サービス品質、ジオメトリ、または、選択された変調および符号化スキーム（ＭＣＳ）に少なくとも部分的に基づく、請求項１に記載の方法。
【請求項４】
前記複数のデータ・リソース要素を割り当てることはさらに、前記１または複数のデバイスが、前記異種の技術のチャネル状態情報基準信号（ＣＳＩ−ＲＳ）を処理できるかに少なくとも部分的に基づく、請求項１に記載の方法。
【請求項５】
前記複数のデータ・リソース要素のうちのパンクチャされたセットは、前記複数のデータ・リソース要素にわたって実質的に等しく分散される、請求項１に記載の方法。
【請求項６】
前記１または複数のデバイスに関連するデータを符号化するために選択された変調および符号化スキーム（ＭＣＳ）に少なくとも部分的に基づいて、前記複数のデータ・リソース要素のうちのパンクチャされたセットを選択すること、をさらに備える請求項１に記載の方法。
【請求項７】
前記選択することは、所与の期間中、動的に実行される、請求項６に記載の方法。
【請求項８】
無線通信のための装置であって、
異種の技術の信号を抑制または送信するために、１または複数のデータ・リソース・ブロックにおける複数のデータ・リソース要素のパンクチャされたセットを決定し、
前記複数のデータ・リソース要素のうちのパンクチャされたセットに少なくとも部分的に基づいて、前記複数のデータ・リソース要素の一部を、１または複数のデバイスへ割り当て、
前記複数のデータ・リソース要素のうちのパンクチャされたセットに少なくとも部分的に基づいて、前記複数のデータ・リソース要素の一部においてデータを符号化するための変調および符号化スキーム（ＭＣＳ）を選択し、
前記複数のデータ・リソース要素にマップされた１または複数のコードブロックの期待されるパフォーマンスを決定し、
前記期待されたパフォーマンスに少なくとも部分的に基づいて前記ＭＣＳを選択し、
前記ＭＣＳを用いて前記１または複数のコードブロックの期待される誤り率を決定する
ことに少なくとも部分的に基づいて、前記期待されるパフォーマンスを決定する、
ように構成された少なくとも１つのプロセッサを備え、
前記割り当てられた複数のデータ・リソース要素の一部は、前記複数のデータ・リソース要素のうちのパンクチャされたセットとは異なる、装置。
【請求項９】
前記少なくとも１つのプロセッサはさらに、前記１または複数のコードブロックのうち、前記複数のデータ・リソース要素のパンクチャされたセットのうちの最も大きな部分を含むコードブロックを決定するように構成され、
前記少なくとも１つのプロセッサは、少なくとも、前記コードブロックの期待されるパフォーマンスを決定することによって、前記期待されるパフォーマンスを決定する、請求項８に記載の装置。
【請求項１０】
前記少なくとも１つのプロセッサはさらに、前記１または複数のデバイスのランク、サービス品質、ジオメトリ、または、選択された変調および符号化スキーム（ＭＣＳ）に少なくとも部分的に基づいて、前記複数のデータ・リソース要素を割り当てる、請求項８に記載の装置。
【請求項１１】
前記少なくとも１つのプロセッサはさらに、前記１または複数のデバイスが、前記異種の技術のチャネル状態情報基準信号（ＣＳＩ−ＲＳ）を処理できるかに少なくとも部分的に基づいて、前記複数のデータ・リソース要素を割り当てる、請求項８に記載の装置。
【請求項１２】
前記複数のデータ・リソース要素のうちのパンクチャされたセットは、前記複数のデータ・リソース要素にわたって実質的に等しく分散される、請求項８に記載の装置。
【請求項１３】
前記少なくとも１つのプロセッサはさらに、前記１または複数のデバイスに関連するデータを符号化するために選択された変調および符号化スキーム（ＭＣＳ）に少なくとも部分的に基づいて、前記複数のデータ・リソース要素のうちのパンクチャされたセットを選択するように構成された、請求項８に記載の装置。
【請求項１４】
前記少なくとも１つのプロセッサは、前記複数のデータ・リソース要素のパンクチャされたセットを動的に選択する、請求項１３に記載の装置。
【請求項１５】
無線通信のための装置であって、
異種の技術の信号を抑制または送信するために、１または複数のデータ・リソース・ブロックにおける複数のデータ・リソース要素のうちのパンクチャされたセットを決定する手段と、
前記複数のデータ・リソース要素のうちのパンクチャされたセットに少なくとも部分的に基づいて、前記複数のデータ・リソース要素の一部を、１または複数のデバイスへ割り当てる手段と、
前記複数のデータ・リソース要素のうちのパンクチャされたセットに少なくとも部分的に基づいて、前記複数のデータ・リソース要素の一部においてデータを符号化するための変調および符号化スキーム（ＭＣＳ）を選択する手段と、
前記複数のデータ・リソース要素にマップされた１または複数のコードブロックの期待されるパフォーマンスを計算する手段と
を備え、
前記選択する手段は、前記期待されたパフォーマンスに少なくとも部分的に基づいて前記ＭＣＳを選択し、
前記計算する手段はさらに、前記ＭＣＳを用いて前記１または複数のコードブロックの期待される誤り率を決定することに少なくとも部分的に基づいて、前記期待されるパフォーマンスを計算し、
前記割り当てられた複数のデータ・リソース要素の一部は、前記複数のデータ・リソース要素のうちのパンクチャされたセットとは異なる、装置。
【請求項１６】
前記１または複数のコードブロックのうち、前記複数のデータ・リソース要素のパンクチャされたセットのうちの最も大きな部分を含むコードブロックを決定する手段をさらに備え、
前記計算する手段は、前記コードブロックの期待されるパフォーマンスを計算する、請求項１５に記載の装置。
【請求項１７】
前記割り当てる手段はさらに、前記１または複数のデバイスのランク、サービス品質、ジオメトリ、または、選択された変調および符号化スキーム（ＭＣＳ）に少なくとも部分的に基づいて、前記複数のデータ・リソース要素を割り当てる、請求項１５に記載の装置。
【請求項１８】
前記割り当てる手段はさらに、前記１または複数のデバイスが、前記異種の技術のチャネル状態情報基準信号（ＣＳＩ−ＲＳ）を処理できるかに少なくとも部分的に基づいて、
前記複数のデータ・リソース要素を割り当てる、請求項１５に記載の装置。
【請求項１９】
前記複数のデータ・リソース要素のうちのパンクチャされたセットは、前記複数のデータ・リソースにわたって実質的に等しく分散される、請求項１５に記載の装置。
【請求項２０】
前記決定する手段はさらに、前記１または複数のデバイスに関連するデータを符号化するために選択された変調および符号化スキーム（ＭＣＳ）に少なくとも部分的に基づいて、前記複数のデータ・リソース要素のうちのパンクチャされたセットを選択する、請求項１５に記載の装置。
【請求項２１】
前記決定する手段は、所与の期間において、前記複数のデータ・リソース要素のうちのパンクチャされたセットを動的に選択する、請求項２０に記載の装置。
【請求項２２】
少なくとも１つのコンピュータに対して、異種の技術の信号を抑制または送信するために、１または複数のデータ・リソース・ブロックにおける複数のデータ・リソース要素のうちのパンクチャされたセットを決定させるための命令群と、
前記少なくとも１つのコンピュータに対して、前記複数のデータ・リソース要素のうちのパンクチャされたセットに少なくとも部分的に基づいて、前記複数のデータ・リソース要素の一部を、１または複数のデバイスへ割り当てさせるための命令群と、
前記少なくとも１つのコンピュータに対して、前記複数のデータ・リソース要素のうちのパンクチャされたセットに少なくとも部分的に基づいて、前記複数のデータ・リソース要素の一部においてデータを符号化するための変調および符号化スキーム（ＭＣＳ）を選択させるための命令群と、
前記少なくとも１つのコンピュータに対して、前記複数のデータ・リソース要素にマップされた１または複数のコードブロックの期待されるパフォーマンスを決定させるための命令群と
を記憶したコンピュータ読取可能な記憶媒体であって、
前記少なくとも１つのコンピュータに対して選択させるための命令群はさらに、前記期待されたパフォーマンスに少なくとも部分的に基づいて前記ＭＣＳを選択し、
前記少なくとも１つのコンピュータに対して決定させるための命令群はさらに、前記ＭＣＳを用いて前記１または複数のコードブロックの期待される誤り率を決定することに少なくとも部分的に基づいて、前記期待されるパフォーマンスを決定し、
前記割り当てられた複数のデータ・リソース要素の一部は、前記複数のデータ・リソース要素のうちのパンクチャされたセットとは異なる、コンピュータ読取可能な記憶媒体。
【請求項２３】
前記少なくとも１つのコンピュータに対して、前記１または複数のコードブロックのうち、前記複数のデータ・リソース要素のパンクチャされたセットのうちの最も大きな部分を含むコードブロックを決定させるための命令群をさらに記憶しており、
前記少なくとも１つのコンピュータに対して決定させるための命令群は、少なくとも、前記コードブロックの期待されるパフォーマンスを決定することによって、前記期待されるパフォーマンスを決定する、請求項２２に記載のコンピュータ読取可能な記憶媒体。
【請求項２４】
前記少なくとも１つのコンピュータに対して割り当てさせるための命令群はさらに、前記１または複数のデバイスのランク、サービス品質、ジオメトリ、または、選択された変調および符号化スキーム（ＭＣＳ）に少なくとも部分的に基づいて、前記複数のデータ・リソース要素を割り当てる、請求項２２に記載のコンピュータ読取可能な記憶媒体。
【請求項２５】
前記少なくとも１つのコンピュータに対して割り当てさせるための命令群はさらに、前記１または複数のデバイスが、前記異種の技術のチャネル状態情報基準信号（ＣＳＩ−ＲＳ）を処理できるかに少なくとも部分的に基づいて、前記複数のデータ・リソース要素を割り当てる、請求項２２に記載のコンピュータ読取可能な記憶媒体。
【請求項２６】
前記複数のデータ・リソース要素のうちのパンクチャされたセットは、前記複数のデータ・リソースにわたって実質的に等しく分散される、請求項２２に記載のコンピュータ読取可能な記憶媒体。
【請求項２７】
前記少なくとも１つのコンピュータに対して、前記１または複数のデバイスに関連するデータを符号化するために選択された変調および符号化スキーム（ＭＣＳ）に少なくとも部分的に基づいて、前記複数のデータ・リソース要素のうちのパンクチャされたセットを選択させるための命令群をさらに記憶した、請求項２２に記載のコンピュータ読取可能な記憶媒体。
【請求項２８】
前記少なくとも１つのコンピュータに対して選択させるための命令群は、前記複数のデータ・リソース要素のうちのパンクチャされたセットを動的に選択する、請求項２７に記載のコンピュータ読取可能な記憶媒体。
【発明の詳細な説明】
【優先権主張】
【０００１】
本特許出願は、本明細書において参照によって明確に組み込まれ本願の譲受人に譲渡された２００９年１０月５日出願の“データ喪失を最小化するＬＴＥアドバンスト目的のためのレガシーＵＥデータ領域の効率的なパンクチャ”（EFFICIENT PUNCTURING OF LEGACY UE DATA REGION FOR LTE-ADVANCED PURPOSE TO MINIMIZE DATA LOSS）と題された仮出願６１／２４８，８０５号の優先権を主張する。
【技術分野】
【０００２】
以下の説明は、一般に、無線通信に関し、さらに詳しくは、信号をデータ領域にパンクチャすることに関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）、イボリューション・データ・オプティマイズド（ＥＶ−ＤＯ）等のような仕様に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
さらに、例えば、基地局は、例えば周波数対時間部分のように、通信のためのリソースをもモバイル・デバイスに割り当てうる。例において、基地局は、データ通信および（このデータ通信に関連しうる）制御データのためのリソースを割り当てうる。そして、基地局は、このリソースによる送信のために、データをコードワード（または、コードワードに対応する複数のコードブロック）に符号化しうる。さらに、基地局は、モバイル・デバイスに基準信号を送信しうる。例において、モバイル・デバイスは、基準信号を測定し、基準信号の品質に関するフィードバックを基地局へレポートしうる。１つの例において、基地局は、このフィードバックに少なくとも部分的に基づいて、モバイル・デバイスにリソースを割り当てうる。基地局は、おのおののアンテナのために基準信号を送信しうることが認識されるべきである。さらに、例えば、基地局は、異なる技術を用いて、モバイル・デバイスからの通信をサポートしうる。そして、通信のために、同じ周波数空間で動作しうる。
【発明の概要】
【０００６】
以下は、１または複数の態様の基本的な理解を与えるために、これら態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様の打ちのいくつかの概念を表すことである。
【０００７】
１または複数の実施形態および対応する開示によれば、さまざまな態様が、パンクチャによって引き起こされるデータ・リソースでの喪失を最小化しながら、（例えば、異種の技術に関連する信号のような）異種の信号を用いて、データ・リソースをパンクチャすることに関連して記載されている。例えば、データ・リソースがパンクチャされ、このパンクチャに少なくとも部分的に基づいて、デバイスへ割り当てられうる。例えば、パンクチャされないリソースは、喪失をさらに少なくするために、信号を処理しないデバイス（例えば、レガシーまたは別の技術のデバイス）、一定の帯域幅要件、データ・レート要件、またはサービス品質要件を持つデバイス、一定のランクやジオメトリのデバイス等に割り当てられうる。
【０００８】
さらに、例えば、異種の信号を送信するためにパンクチャされるリソースは、データ・リソースに対して実質的に等しく悪影響を与えるように、ある期間中、関連する周波数帯域において、および／または、関連するサブセット期間において、実質的に等間隔に配置されうる。この点に関し、例えば、データ・リソースに対して、異種の信号によって引き起こされる喪失は、データ・リソースの所与の部分について実質的に等しくなりうる。さらに、例において、データ・リソースでデータを符号化するために、変調および符号化スキームが、パンクチャに少なくとも部分的に基づいて選択されうる。したがって、例えば、データ・リソースのパフォーマンスは、データ・リソースのうち最もパンクチャされた部分のパフォーマンスを推定することに少なくとも部分的に基づいて推定されうる。そして、推定されたパフォーマンスに少なくとも部分的に基づいて、ＭＣＳが選択されうる。さらに、例えば、信号が送信されないようにデータ・リソースを抑制するために、リソース・パンクチャが使用されうる。
【０００９】
例によれば、異種の技術の信号を抑制または送信するために、１または複数のデータ・リソース・ブロックにおける、複数のデータ・リソース要素のうちのパンクチャされたセットを決定することを含む、無線通信のための方法が提供される。この方法はまた、複数のデータ・リソース要素のうちのパンクチャされたセットに少なくとも部分的に基づいて、複数のデータ・リソース要素の一部を、１または複数のデバイスへ割り当てることをも含む。
【００１０】
別の態様では、異種の技術の信号を抑制または送信するために、１または複数のデータ・リソース・ブロックにおける複数のデータ・リソース要素のパンクチャされたセットを決定するように構成された少なくとも１つのプロセッサを含む、１または複数のデバイスへリソースを割り当てるための無線通信装置が提供される。この少なくとも１つのプロセッサはさらに、複数のデータ・リソース要素のうちのパンクチャされたセットに少なくとも部分的に基づいて、複数のデータ・リソース要素の一部を、１または複数のデバイスへ割り当てるように構成されている。さらに、無線通信装置は、少なくとも１つのプロセッサに接続されたメモリを含む。
【００１１】
さらに別の態様では、異種の技術の信号を抑制または送信するために、１または複数のデータ・リソース・ブロックにおける複数のデータ・リソース要素のうちのパンクチャされたセットを決定する手段を含む、１または複数デバイスにリソースを割り当てるための装置が提供される。この装置はさらに、複数のデータ・リソース要素のうちのパンクチャされたセットに少なくとも部分的に基づいて、複数のデータ・リソース要素の一部を、１または複数のデバイスへ割り当てる手段を含む。
【００１２】
さらに別の態様では、信号を抑制または送信するために、コードブロックをパンクチャするコンピュータ・プログラム製品が提供される。これは、少なくとも１つのコンピュータに対して、異種の技術の信号を抑制または送信するために、１または複数のデータ・リソース・ブロックにおける複数のデータ・リソース要素のうちのパンクチャされたセットを決定させるための命令群を有するコンピュータ読取可能な媒体を含む。このコンピュータ読取可能な媒体は、少なくとも１つのコンピュータに対して、複数のデータ・リソース要素のうちのパンクチャされたセットに少なくとも部分的に基づいて、複数のデータ・リソース要素の一部を、１または複数のデバイスへ割り当てさせるための命令群を含む。
【００１３】
さらに、態様では、１または複数のデバイスにリソースを割り当てるための装置が提供される。この装置は、異種の技術の信号を抑制または送信するために、１または複数のデータ・リソース・ブロックにおける複数のデータ・リソース要素のうちのパンクチャされたセットを決定するパンクチャ構成要素を含む。この装置はさらに、複数のデータ・リソース要素のうちのパンクチャされたセットに少なくとも部分的に基づいて、複数のデータ・リソース要素の一部を、１または複数のデバイスへ割り当てるリソース割当構成要素を含む。
【００１４】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００１５】
開示された態様は、以下において、同一符号が同一要素を示す添付図面と連携して説明され、開示された態様を、限定することなく、例示するために提供される。
【図１】図１は、無線ネットワークにおけるさまざまなデバイスと通信するためのシステム例を図示する。
【図２】図２は、異種の技術の信号を抑制または送信するためにコードブロックをパンクチャするためのシステム例を図示する。
【図３】図３は、異種の信号を送信または抑制するためにコードブロックをパンクチャすることを容易にするシステム例を図示する。
【図４】図４は、異種の信号がコードブロックへパンクチャされ送信されるリソース要素を有するリソース・ブロック例を図示する。
【図５】図５は、パンクチャされたリソースのセットに少なくとも部分的に基づいて、リソースを割り当てることを容易にする方法例を図示する。
【図６】図６は、異種の技術の信号を抑制または送信するためにコードブロックをパンクチャすることを容易にする方法例を図示する。
【図７】図７は、多くのデータ・リソース要素で多くの信号を送信するための方法例を図示する。
【図８】図８は、パンクチャされたコードブロックにしたがってリソースをスケジュールすることを容易にする方法例を図示する。
【図９】図９は、パンクチャされたリソースのセットに少なくとも部分的に基づいてリソースを割り当てるためのシステム例を図示する。
【図１０】図１０は、異種の技術の信号を抑制または送信するためにコードブロックをパンクチャすることを容易にするシステム例を図示する。
【図１１】図１１は、本明細書に記載されたさまざまな態様にしたがう典型的な無線通信システム例を図示する。
【図１２】図１２は、本明細書に記載されたさまざまなシステムおよび方法と共に適用されうる無線ネットワーク環境例を図示する。
【発明を実施するための形態】
【００１６】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００１７】
本明細書でさらに説明するように、１または複数のデバイスとの通信のために使用されるデータ・リソースのセットが、異種の信号（例えば、異種の技術に関連する信号）を送信するためにパンクチャされうる。データ・リソースのセットは、データ・リソースにわたるパンクチャのパフォーマンス悪影響を最小化するために選択されうる。１つの例において、１または複数のデバイスのためのデータ・リソースへのデータ・マッピングが、周波数位置の順に、その後、時間にわたって実行されうる。したがって、信号を送信するために選択されたデータ・リソースのセットは、周波数および時間に関して、データ・リソースにわたって実質的に均等でありうる（例えば、このセット内のデータ・リソースは、実質的に等間隔に配置されうる）。この点に関し、１または複数のデバイスと通信するために使用されるデータ・リソースは、この信号の送信によって同様に悪影響を受ける。
【００１８】
さらに、例えば、新たな信号を送信するために選択されたデータ・リソースのセットを考慮して、異種の信号を送信することの悪影響をさらに緩和するために、データ・リソースのセットを回避するように、１または複数のデバイスのためのデータ・リソースがスケジュールされうる。例えば、このようなデータ・リソース・スケジューリングは、新たな信号を処理することができないデバイス、一定の帯域幅要件、データ・レート要件、および／または、サービス品質（ＱｏＳ）要件を持つデバイス、一定のランクのデバイス、一定のジオメトリのデバイス等のためでありうる。さらに、例えば、割り当てられたリソースのセット、データ・リソースのうち最もパンクチャされたセットについて推定されたパフォーマンス等に少なくとも部分的に基づいて、１または複数のデバイスに関連するデータを符号化するために、変調および符号化スキーム（ＭＣＳ）が選択されうる。さらに、例において、逆に、パンクチャされたリソースで送信が生じないように、パンクチャされたリソースが抑制されうる。
【００１９】
本願で使用されるように、用語「構成要素」、「モジュール」、「システム」等は、限定される訳ではないが、ハードウェア、ファームウェア、ハードウェアとソフトウェアとの組み合わせ、ソフトウェア、あるいは実行中のソフトウェアのようなコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能な媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００２０】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末との通信のために利用され、アクセス・ポイント、ノードＢ、イボルブド・ノードＢ（ｅＮＢ）、あるいはその他いくつかの用語で称されうる。
【００２１】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２２】
本明細書に記述された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現することができる。ＵＴＲＡは、広帯域ＣＤＭＡ（Ｗ−ＣＤＭＡ）およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ｃｄｍａ２０００およびＵＭＢは、「第３世代パートナシップ計画プロジェクト２」（３ＧＰＰ２）と命名された組織からのドキュメントに記述されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２３】
さまざまな態様または特徴が、多くのデバイス、構成要素、モジュールなどを含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２４】
図１を参照して、レガシー・デバイスおよび非レガシー・デバイスをサポートする無線通信システム１００が例示される。システム１００は、レガシー・デバイス１０４と通信しうる基地局１０２と、（図示しない）無線ネットワークへアクセスを提供するデバイス１０６とを含む。例えば、基地局１０２は、マクロセル、フェムトセル、ピコセル、または類似の基地局、中継ノード、モバイル基地局、（例えば、ピア・トゥ・ピアまたはアド・ホック・モードでレガシー・デバイス１０４および／またはデバイス１０６と通信する）ＵＥ、これらの一部、および／または、１または複数の異種のデバイスに、無線ネットワークへのアクセスを提供する実質的に任意のデバイスでありうる。さらに、例えば、レガシー・デバイス１０４およびデバイス１０６はおのおの、ＵＥ、モデム（またはその他のテザー・デバイス）、これらの一部、または、例えば、中継ノード、モバイル基地局またはその他の基地局等のような無線ネットワークへのアクセスを受信しうる実質的に任意のデバイスでありうる。レガシー・デバイス１０４およびデバイス１０６は、異なる技術タイプまたはレビジョンからなるので、類似のリソース・セットの異なる定義をサポートしうる。
【００２５】
例によれば、基地局１０２は、データ・リソースで、レガシー・デバイス１０４（および／または、１または複数のさらなるレガシー・デバイス）と通信しうる。説明するように、例えば、データ・リソースは、周波数対時間部分に関連しうる。基地局１０２はまた、データ・リソースで、デバイス１０６と通信しうる。そして、データ・リソースで、レガシー・デバイス１０４およびデバイス１０６を独立してスケジュールし、おのおのに対して個別のデータ・リソースを提供する。しかしながら、基地局１０２はさらに、データ・リソースで、デバイス１０６、および／または、デバイス１０６と同一または類似の技術のその他のデバイスへ基準信号を送信しうる。基準信号は、レガシー・デバイス１０４によって処理されない。この点に関し、基地局１０２は、基準信号を、データ・リソースへパンクチャしうる。これは、レガシー・デバイス１０４との通信に悪影響を与えうる。
【００２６】
レガシー・デバイス１０４との通信にもたらされた喪失を最小化するために、基地局１０２は、周波数および時間に関して実質的に等しくデータ・リソースをパンクチャしうる。したがって、例えば、おのおののが周波数対時間部分によって定義されている１または複数のリソース・ブロック内に、レガシー・デバイスへのデータ送信のために、多くのリソース要素が確保されていると仮定すると、基地局１０２は、デバイス１０６、および／または、デバイス１０６と同じ技術の他のデバイスのために、基準信号を送信するための１または複数のリソース・ブロックで、実質的に等しく配置されたリソース要素を利用し、このリソース要素で、送信のために以前にスケジュールされたデータを効率的にパンクチャする。パンクチャは、一定のリソース要素での送信のためにスケジュールされたデータを、（例えば、上記例における基準信号に関連するデータのような）別のデータとの交換を称しうる。
【００２７】
例えば、基地局１０２は、レガシー・デバイス１０４および／またはデバイス１０６のためのデータを、１または複数のコードワードに符号化しうる。１または複数のコードワードは、複数のリソース要素による送信のために、１または複数のコードブロックに分離されうる。例えば、おのおののコードブロックは、独立した符号化、誤り検出（例えば、巡回冗長検査）等を有しうる。この例では、コードブロックをパンクチャすることは、リソース要素に対応するコードブロック内の少なくとも１つの値を、別の値に交換することを称しうる。さらに、例えば、基地局１０２は、ある期間の次のサブセットに移動する前に、（例えば、データ・シンボルのような）所与の期間のサブセットのために、周波数順に、複数のリソース要素でコードブロックをマップしうる。したがって、周波数にわたって、および、ある期間のおのおののサブセットにわたってリソース要素を均等にパンクチャすることによって、コードブロックのおのおのに対して同じ悪影響となりうる。
【００２８】
別の例において、基地局１０２は、基準信号を送信するために基地局１０２によってパンクチャされるデータ・リソースを回避することに少なくとも部分的に基づいて、レガシー・デバイス１０４にリソースを割り当てうる。したがって、基準信号送信によって引き起こされるレガシー・デバイス１０４に対する悪影響は、この点においても同様に緩和されうる。さらに、例えば、基地局１０２は同様に、レガシー・デバイス１０４またはデバイス１０６の帯域幅要件、データ・レート要件、および／または、ＱｏＳ要件、これらのランクまたはジオメトリ等にしたがってパンクチャされるデータ・リソースを回避するために、レガシー・デバイス１０４またはデバイス１０６へリソースを割り当てうる。さらに、例えば、基地局１０２は、パンクチャすることに少なくとも部分的に基づいて、レガシー・デバイス１０４および／またはデバイス１０６に関連するデータを符号化するためのＭＣＳを選択しうる。したがって、例えば、基地局１０２は、（例えば、最もパンクチャされたコードブロックのためのデータ・レートを達成するために）最もパンクチャされたコードブロックの期待されるパフォーマンスを推定しうる。そして、推定されたパフォーマンスに少なくとも部分的に基づいてＭＣＳを選択しうる。さらに別の例では、レガシー・デバイス１０４またはデバイス１０６にデータが送信されないように、基地局１０２は、パンクチャされたリソースを抑制しうる。
【００２９】
図２に移って、異種の技術の信号を送信するため、または、送信を抑制するために、データ・リソースをパンクチャすることを容易にする無線通信システム２００の例が例示される。システム２００は、基地局１０２を備える。基地局１０２は、説明するように、例えばレガシー・デバイス１０４およびデバイス１０６のような複数のデバイスへネットワーク・アクセスを提供しうる。基地局１０２は、基地局１０２と通信するために１または複数のデバイスにリソースのセットを割り当てるリソース割当構成要素２０２と、１または複数のデバイスに通信するための１または複数のコードワードを生成するために、データにＭＣＳを適用する符号化構成要素２０４と、１または複数のコードワードをリソースのセットの一部に関連付けるマッピング構成要素２０６とを含みうる。基地局１０２はまた、異種の技術の信号を、１または複数のコードワードのうちの少なくとも１つにパンクチャするパンクチャ構成要素２０８と、１または複数のコードワードをリソースのセットで送信する送信構成要素２１０とを備えうる。
【００３０】
例によれば、リソース割当構成要素２０２は、通信するために、レガシー・デバイス１０４および／またはデバイス１０６にリソースを割り当てうる。例えば、リソースは、基地局１０２からデータを受信するために、例えば物理ダウンリンク共有チャネル（ＰＤＳＣＨ）のようにレガシー・デバイス１０４および／またはデバイス１０６（および／またはその他のデバイス）によって共有される論理チャネルに関連しうる。リソース割当構成要素２０２はまた、制御データ・リソース、および／または、アップリンク・データ・リソースおよび制御データ・リソースを、レガシー・デバイス１０４および／またはデバイス１０６へ割り当てうる。さらに、例えば、リソース割当構成要素２０２は、レガシー・ネットワーク仕様にしたがって、レガシー・デバイス１０４へリソースを割り当てうる。リソース割当構成要素２０２はさらに、例えば、リソースをパンクチャすることに少なくとも部分的に基づいて、レガシー・デバイス１０４および／またはデバイス１０６へリソースを割り当てうる。さらに、符号化構成要素２０４は、１または複数のコードワードを生成するために、レガシー・デバイス１０４および／またはデバイス１０６へ送信するために、データへＭＳＣを適用しうる。例えば、ＭＣＳは、（例えば、データ・レートに少なくとも部分的に基づいて）レガシー・デバイス１０４および／またはデバイス１０６に関連するデータのビットから、１または複数のコードワードを生成するために、符号化構成要素２０４によって使用されうる。
【００３１】
さらに、例えば、マッピング構成要素２０６は、レガシー・デバイス１０４および／またはデバイス１０６へ送信するために、１または複数のコードワードを、割り当てられたリソースに関連付けうる。１つの例において、符号化構成要素２０４は、レガシー・デバイス１０４および／またはデバイス１０６における符号化能力に少なくとも部分的に基づいて、所与のコードワードを備える１または複数のコードブロックを生成しうる。さらに、マッピング構成要素２０６は、コードブロックを、割り当てられたリソース部分にマップしうる。１つの例において、割り当てられたリソースは、説明するように、多くのリソース要素を備えうる。そして、マッピング構成要素２０６は、複数のリソース要素にわたって、コードブロックを、周波数において、次に、時間において順にマップしうる。さらに、パンクチャ構成要素２０８は、（例えば、コードブロックの一部がマップされる１または複数のリソース要素で、）異種の技術に関連する信号を、コードブロックの一部にパンクチャしうる。
【００３２】
さらに、１つの例において記載されるように、パンクチャ構成要素２０８は、コードブロックへの悪影響を最小化するために、関連するリソース要素において、周波数において実質的に等しく、および／または、時間において実質的に等しく、コードブロックの一部へパンクチャしうる。したがって、例えば、複数の隣接するまたは隣接しないリソース要素を含むリソース・ブロックを仮定すると、パンクチャ構成要素２０８は、パンクチャされたリソース要素が、周波数において、および／または、（例えば、本明細書に説明するようなデータ・シンボル、サブフレーム等のような）期間において、リソース・ブロック内で実質的に等間隔に配置されるように、リソース要素内のコードブロックをパンクチャしうる。１つの例において、パンクチャ構成要素２０８は、ハードコーディング、設定、仕様等から、パンクチャ・パターンを取得しうる。このパンクチャ・パターンは、例えば、送信するシンボル数、利用可能なリソース要素、その他のリソース・ブロック設定情報等に少なくとも部分的に基づいて、どのリソース要素をパンクチャするかに関連する指示を含みうる。例えば、これは、時間とともに変わりうるので、パンクチャすることは、異なるリソース・ブロックについて動的でありうる。例えば、リソース割当構成要素２０２は、パンクチャ・パターンに少なくとも部分的に基づいて、レガシー・デバイス１０４および／またはデバイス１０６にリソースを割り当てうる。さらに、例えば、符号化構成要素２０４は、パンクチャ・パターンに少なくとも部分的に基づいて、レガシー・デバイス１０４および／またはデバイス１０６に関連するデータを符号化するためのＭＣＳを選択しうる。
【００３３】
別の例において、パンクチャ構成要素２０８は、例えば、期間にわたって送信する信号数に少なくとも部分的に基づいて、リソース要素を選択しうる。１つの例において、リソース・ブロックが、データの送信に特化された６０のリソース要素を含んでおり、リソース・ブロックで６つの信号が送信されるべきである場合、パンクチャ構成要素２０８は、これら６つの信号を送信するために、０、１０、２０、３０、４０、５０からなるインデクスを有するリソース要素（および／または、例えば１、１１、２１、３１、４１、５１からなるリソース要素のシフト等）におけるコードブロックをパンクチャしうる。これによって、パンクチャ要素２０８によってパンクチャされたリソース要素は、６つの信号を送信するために、リソース・ブロック内に実質的に等間隔に配置されるようになる。別の例において、パンクチャ構成要素２０８は、データ・シンボル内の位置にしたがって、所与のデータ・シンボルにおけるリソース要素を選択しうる（例えば、リソース・ブロック内の１または複数のデータ・シンボルにおいてインデクス０を有する、パンクチャするためのリソース要素を選択しうる）。
【００３４】
したがって、１つの例において、パンクチャ構成要素２０８は、（例えば、１または複数のリソース・ブロック内の）リソース要素の数を、信号の数で除すること、および、信号を送信するために選択されたリソース要素間の間隔を決定するためにこの結果を用いること、に少なくとも部分的に基づいて、信号を送信するためのリソース要素を決定しうる。さらに、例えば、この除算の結果得られた余りがドロップされ、信号を送信するために次の１または複数のリソース・ブロックにおけるリソース要素をオフセットするため等に使用されうる。別の例において、パンクチャ構成要素２０８は、信号が、リソース・ブロックにわたって、データ・シンボル毎に１つのリソース要素で送信されるか（例えば、データ・シンボル数で除された信号数が、１以下であるか）を判定することに少なくとも部分的に基づいて、信号を送信するためのリソース要素を決定しうる。もしも送信されるのであれば、パンクチャ構成要素２０８は、リソース・ブロック内のデータ・シンボルにおいて、信号を実質的に等しく分散しうる。送信されないのであれば、パンクチャ構成要素２０８は、１または複数のデータ・シンボル内で複数のリソース要素をパンクチャすることによって、信号をペアにすることを決定する。したがって、例えば、パンクチャ構成要素２０８は、（例えば、パンクチャされたリソース要素が、データ・シンボル内で等しく配置されるように）所与のデータ・シンボル内でリソース要素を実質的に等しくパンクチャするように決定しうる。
【００３５】
さらに、この点では、少なくとも、パンクチャするために利用可能なリソース要素は、所与のリソース・ブロック、サブフレーム、ラジオ・フレーム等において変化しうるので、リソース要素のセットを選択することは、所与の期間の間、動的に実行されうる。さらに、例えば、パンクチャ構成要素２０８は、複数のリソース・ブロックにおけるリソース要素において、同様に、パンクチャを配置しうる。さらに、１つの例において、異種の技術の信号は、基地局１０２のおのおののアンテナ・ポートのために送信された基準信号でありうる。したがって、例えば、パンクチャ構成要素２０８は、アンテナ・ポートの数、アンテナ・ポートに関連する指定された密度等に少なくとも部分的に基づいて、所与の期間において送信する信号の数を決定しうる。したがって、その後、パンクチャ構成要素２０８は、説明するように、対応するリソース要素を利用することによって、コードワードにおける基準信号をパンクチャしうる。
【００３６】
また別の例では、所与のリソース・ブロックにおける１つのリソース要素で１つの信号を送信するために、パンクチャ構成要素２０８は、以下の式にしたがって、パンクチャされたリソース要素を決定しうる。（１２ｋ＋ｆｒｅｑ＿ｏｆｆｓｅｔ，πｓ（ｋ））、ここで、ｋは、リソース・ブロック・インデクスであり、πｓは、可能なデータ・シンボルの範囲（例えば、以下に説明するように、制御データのために確保されておらず、および／または、レガシー基準信号を送信するために使用されていないシンボル）であり、ｓは、サブフレーム・インデクスであり、ｆｒｅｑ＿ｏｆｆｓｅｔは、セルおよび／またはアンテナ・ポートおよび／またはその他のパラメータに依存しうる初期オフセットである。さらに、例において、パンクチャ構成要素２０８は、符号化構成要素２０４によって選択されたＭＣＳに少なくとも部分的に基づいて、パンクチャするためのリソースのセットを選択しうる。
【００３７】
何れの場合であれ、送信構成要素２１０は、パンクチャされていないリソース要素にマップされたコードブロックを送信しうる。そして、信号送信のためにパンクチャされたリソース要素で、異種の技術の信号を送信しうる。一例において、レガシー・デバイス１０４は、パンクチャされたコードブロックを受信した場合、他のリソース要素で受信したデータに少なくとも部分的に基づいてコードブロックを適切に復号しうることが認識されるべきである。さらに、前述したように、パンクチャ構成要素２０８は、抑制のために、コードブロックをパンクチャしうる。これによって、送信構成要素２１０は、コードブロックのうち、パンクチャされた部分に対応するリソース要素で送信することを控えうる。例えば、これらの信号は、デバイス１０６が、チャネル・フィードバックをレポートするために利用しうるＬＴＥリリース１０で送信されるチャネル状態情報基準信号（ＣＳＩ−ＲＳ）に関連しうる。したがって、ＣＳＩ−ＲＳは、その他のＲＳのように低密度かつ低頻度で送信されうる。なぜなら、ＣＳＩ−ＲＳは、フィードバック目的のためにチャネルを測定するために使用されるからである。
【００３８】
図３を参照して、異種の技術に関連する信号をパンクチャする、または、データ・リソースのセットにおける抑制のための無線通信システム３００の例が例示される。システム３００は、無線ネットワーク・アクセスを提供するために、例えばレガシー・デバイス１０４またはデバイス１０６のような複数のデバイスと通信しうる、説明したような基地局１０２を含む。基地局１０２は、基地局１０２と通信するために、１または複数のデバイスに、リソースのセットを割り当てるリソース割当構成要素２０２と、１または複数のデバイスに通信するための１または複数のコードブロックを生成するためにデータにＭＣＳを適用する符号化構成要素２０４と、異種の技術の信号を、１または複数のコードブロックのうちの少なくとも１つのへパンクチャするパンクチャ構成要素２０８と、１または複数のコードブロックを、リソースのセットで送信する送信構成要素２１０とを含みうる。基地局１０２はさらに、デバイスに関連する１または複数のパラメータを取得しうるデバイス・パラメータ決定構成要素３０２と、パンクチャすることに基づいて、コードブロックのうちの１または複数またはコードブロックの一部に関連するパフォーマンス・パラメータを計算しうるパフォーマンス推定構成要素３０４とを含みうる。
【００３９】
例によれば、リソース割当構成要素２０２は、通信のために、レガシー・デバイス１０４および／またはデバイス１０６にリソースを割り当てうる。例えば、ＬＴＥシステムまたは類似のシステムでは、基地局１０２は、ラジオ・フレームでレガシー・デバイス１０４（および／またはさらなるレガシー・デバイス）と通信しうる。ラジオ・フレームは、ラジオ・フレームを規定する期間のサブセットにおける周波数帯域のうちの実質的に同じ部分を含みうる１または複数のサブフレームを備えうる。おのおののサブフレームは、多くのデータ・シンボルを含みうる。これらデータ・シンボルはさらに、周波数帯域を占有する期間のサブセットの一部である。例えば、ＬＴＥでは、１つのサブフレームは１ミリ秒毎に送信され、通常のサイクリック・プレフィクス（ＣＰ）モードでは、１４の直交周波数分割多重（ＯＦＤＭ）システムを含みうる。さらに、リソース・ブロックは、サブフレーム上の周波数の部分として定義されうる。これによって、おのおののサブフレームは、周波数で定義された複数のリソース・ブロックを有しうるようになる。おのおののリソース・ブロックは、複数のリソース要素を有しうる。これらは、おのおの、リソース・ブロックのデータ・シンボルにおける周波数サブキャリアに関連しうる。ＬＴＥの通常のＣＰモードでは、例えば、リソース・ブロックは、１４のデータ・シンボルに１２のサブキャリアを含みうる。ここでは、おのおののデータ・シンボルにおけるおのおののサブキャリアがリソース要素である（例えば、この例では、１６８のリソース要素である）。
【００４０】
さらに、例えば、おのおののサブフレームの一部（例えば、またはリソース・ブロック）は、レガシー・デバイス１０４および／またはその他のレガシー・デバイスとの制御データ通信のために確保されうる。ＬＴＥでは、例えば、最初のｎ個のＯＦＤＭシンボルが制御データのために確保される。ここで、０≦ｎ≦３である。さらに、ＬＴＥサブフレームのうちのいくつかのＯＦＤＭシンボルが、レガシー・デバイス１０４へ基準信号を送信するために使用されうる。したがって、例えば、制御データに関係するリソース要素は、異種の技術の信号を送信するためのリソース要素を決定する際に回避されうる。さらに、レガシー基準信号が送信されるデータ・シンボルも同様に回避されうる。この点に関して、パンクチャ構成要素２０８は、前述したように、制御データのために確保されたリソース要素をカウントしないこと、および、レガシー基準信号が送信されるシンボルを回避すること、に少なくとも部分的に基づいて、異種の技術の信号を実質的に等しく配置するためのリソース要素の数を決定しうる。
【００４１】
上述したように、パンクチャ構成要素２０８は、異種の技術に関連する信号を（例えば、デバイス１０６またはその他のデバイスへ）送信するために、または、抑制するために、レガシー・デバイス１０４および／またはその他のレガシー・デバイスに割り当てられたリソース部分をパンクチャしうる。さらに、例えば、リソース割当構成要素２０２は、パンクチャ構成要素２０８からパンクチャされるべきリソース要素を示すインジケーションを受信しうる。例えば、これは、（例えば、所与のリソース・ブロックまたはリソース・ブロックのセットにわたり、ｎ個のリソース・ブロック毎のような、ここで、ｎは正の整数）多くのリソース・ブロック等にわたり、（例えば、おのおののリソース・ブロックが反復する）リソース要素においてパンクチャされるべきリソース要素に関連しうる。さらに、パンクチャ構成要素２０８は、説明するように、パンクチャするためのリソース要素を選択すること等によって、受信された、または、決定されたパンクチャ・パターンに少なくとも部分的に基づいて、インジケーションを生成しうる。この点では、リソース割当構成要素２０２は、パンクチャされたリソース要素を回避するリソースをレガシー・デバイス１０４へ割り当てうる。
【００４２】
別の例において、デバイス・パラメータ決定構成要素３０２は、例えばレガシー・デバイス１０４および／またはデバイス１０６のようなデバイスに関連する１または複数のパラメータを取得しうる。例えば、１または複数のパラメータは、デバイスの帯域幅要件、データ・レート要件、またはＱｏＳ要件に関連しうる。この例において、リソース割当構成要素２０２は、パンクチャ・パターンおよび／またはこれら要件に少なくとも部分的に基づいて、デバイスにリソースを割り当てうる。例えば、リソース割当構成要素２０２は、高い帯域幅要件、データ・レート要件、またはＱｏＳ要件を持つデバイスへリソースを割り当てる際に、（例えば、パンクチャ・パターンによって示されるように）パンクチャされたリソースを回避しうる。また別の例において、デバイス・パラメータ決定構成要素３０２は、デバイスのランクまたはジオメトリや、選択されたＭＣＳ等を取得しうる。そして、リソース割当構成要素２０２は、（例えば、高いランクのデバイスへリソースを割り当てるために、パンクチャされたリソースを回避して）ランク、ジオメトリ、選択されたＭＣＳ等に基づいてリソースを同様に割り当てうる
さらに、例において、符号化構成要素２０４は、パンクチャ・パターンに少なくとも部分的に基づいて、レガシー・デバイス１０４および／またはデバイス１０６通信に関連するコードブロックを符号化するためのＭＣＳを選択しうる。１つの例において、これは、（例えば、最もパンクチャされたコードブロックのように）パンクチャされたリソース要素の最大部分を持つコードブロックにおけるパフォーマンスを推定することを含みうる。この例において、パンクチャ構成要素２０８は、パフォーマンス推定構成要素３０４へ１または複数の最もパンクチャされたコードブロックを示しうる。そして、パフォーマンス推定構成要素３０４は、パンチャのレベル（例えば、コードブロックに関連する、パンクチャされたリソース要素の数）、関連するデバイスのデータ・レート要件、ランク要件、ジオメトリ要件、またはＱｏＳ要件、関連するデバイスからレポートされた履歴チャネル情報等に少なくとも部分的に基づいて、最もパンクチャされたコードブロックにおけるパフォーマンスを計算しうる。パフォーマンス推定構成要素３０４は、パフォーマンス判定基準を符号化構成要素２０４へ通信しうる。符号化構成要素２０４は、パフォーマンス判定基準に少なくとも部分的に基づいてＭＣＳを選択しうる。
【００４３】
例えば、パフォーマンス推定構成要素３０４が、所与のＭＣＳを用いて、しきいレベル未満の、最もパンクチャされたコードブロックのパフォーマンス判定基準を推定する場合、符号化構成要素２０４は、推定されたパフォーマンス・メトリックを少なくともしきいレベルに改善する、関連するデバイス（例えば、レガシー・デバイス１０４および／または１０６）のためのＭＣＳを選択するか、または、修正しうる。さらに、別の例において、パフォーマンス推定構成要素３０４は、パンクチャすることなく、最もパンクチャされたコードブロックの推定されたパフォーマンス判定基準からのしきい差分に少なくとも部分的に基づいて、ＭＣＳを選択または修正しうる。１つの例において、パフォーマンス推定構成要素３０４は、（例えば、コードブロックに適用されたような）パンクチャ・パターンに少なくとも部分的に基づいて、所与のＭＣＳを用いて符号化されたコードブロックのうちの１または複数の期待される誤り率を判定しうる。そして、期待される誤り率に少なくとも部分的に基づいて、ＭＣＳを選択しうる。したがって、例えば、符号化構成要素２０４は、最大のＭＣＳを考慮しうる。そして、パフォーマンス推定構成要素３０４は、デバイス（例えば、レガシー・デバイス１０４および／またはデバイス１０６）のジオメトリまたは１または複数の判定基準、パンクチャ・パターン等を与えられた最も大きいＭＣＳの期待される誤り率を決定しうる。誤り率がしきいレベル（例えば、１０％）を超えている場合、符号化構成要素２０４は、パフォーマンス推定構成要素３０４が、期待される誤り率が、しきいレベル以下であると判定するＭＣＳに達するまで、次に大きなＭＣＳを選択するという具合である。
【００４４】
図４に移って、異種の技術のタイプの信号を送信するためのパンクチャ・パターンにしたがってパンクチャされた多くのリソース要素を含むリソース・ブロック４００、４０２の例が例示される。説明するように、リソース・ブロック４００は、おのおのが１２のサブキャリアを備える１４のデータ・シンボル（例えば、ＯＦＤＭシンボル）を有しうる。ここで、おのおののデータ・シンボルにおけるおのおののサブキャリアは、コードブロックがマップされるリソース要素に対応する。説明するように、リソース・ブロック４００は、制御データ通信のために確保された最大３つの初期データ・シンボル４０４を有しうる。そして、残りのデータ・シンボルは、ＰＤＳＣＨまたは類似の共有データ・チャネルに関連しうる。さらに、例えば、リソース・ブロック４００は、リソース要素４０６、および、例えばＬＴＥにおける共通基準信号（ＣＲＳ）のようなレガシー基準信号を送信するために確保された類似パターンのリソース要素を有しうる。この点に関し、この例では、より重要な信号と干渉しないように、異種の技術タイプのための信号は、制御データのために確保されたシンボルにおいて、あるいは、レガシー基準信号が送信されるシンボルにおいてパンクチャされない。
【００４５】
代わりに、説明するように、異種の技術タイプのための信号が、リソース要素４０８、４１０、４１２、４１４および類似パターンのリソース要素においてパンクチャされる。したがって、例えば、リソース・ブロック４００では、同じ信号が、リソース要素４０８等を備えるデータ・シンボルのうちの２つのリソース要素においてパンクチャされる。リソース要素４１０、４１２、４１４のみならず、同じデータ・シンボル内の類似パターンのリソース要素が、異種の技術の異なる信号を送信するためにパンクチャされる。１つの例において、これら信号は、（例えば、４つのアンテナ・ポートに関連する）４つの異なる基準信号に関連しうる。これらは、リソース・ブロック毎に２つのリソース要素という指定された密度を持つ。したがって、説明するように、リソース・ブロック４００のリソース要素は、リソース要素内のコードブロックが、パンクチャによって同じように悪影響を受けるように、実質的に等しくパンクチャされる。この例において、パンクチャされたリソース要素は、周波数において、次に時間において（例えば、データ・シンボルにおいて）実質的に等しく分散される。
【００４６】
さらに、リソース・ブロック４０２は、リソース・ブロック４００としてパンクチャされたものと実質的に同じリソース・ブロックを有しうるが、これら信号は、データ・シンボルにわたって分散されうる。したがって、リソース・ブロックは、制御データ領域４１６と、レガシー基準信号を送信するために確保されたリソース要素とを含む。これらリソース要素は、リソース要素４１８および同様にパターン化された要素である。制御領域４１６の後には、リソース要素４２０および同様にパターン化された要素が、新たな信号を送信するためにパンクチャされる。このリソース・ブロック４０２では、リソース要素４２０がパンクチャされ、（例えば、パンクチャされたリソース要素４２４を持つデータ・シンボルのような）１０番目のデータ・シンボルにおけるリソース要素が、同じ信号を送信するために使用される。さらに、説明するように、リソース要素４２２、４２４、４２６と、異なるデータ・シンボルにおいて同様にパターン化されたリソース要素とが、異種の技術の異なる信号を送信するためにパンクチャされる。１つの例において、これら信号は、説明するように、ＣＳＩ−ＲＳに関連しうる。１つのアンテナ・ポートのＣＳＩ−ＲＳ送信は、１つのアンテナ・ポートの電力しか使用しないので、このような設計によって、同じＯＦＤＭシンボルに存在する他のアンテナ・ポートのＣＳＩ−ＲＳの電力上昇のために、１つのアンテナ・ポートのＣＳＩ−ＲＳ送信において使用されていない他のアンテナ・ポートの電力を使用できるようになる。さらに、説明するように、一例では、リソース要素４０８、４１０、４１２、４１４、４２０、４２２、４２４、４２６および同様にパターン化されたリソース要素が、送信を抑制するためにパンクチャされうることが認識されるべきである。
【００４７】
リソース・ブロック４００、４０２について図示されたパンクチャ・パターンは、リソース・ブロックにわたって実質的に等しくパンクチャを配置する単に２つの可能なパンクチャ・パターンであることが認識されるべきである。リソース・ブロックにわたって実質的に等しくパンクチャを配置しないパターンを含む実質的に無制限の他のパンクチャ・パターンが可能である。例えば、リソース・ブロックのうちの最低数の時間リソースにしか悪影響を与えないように、単一の所与のデータ・シンボルにおけるリソース要素がパンクチャされうる。何れの場合であれ、リソースが割り当てられうるか、および／または、ＭＳＣがパンクチャに少なくとも部分的に基づいて選択されうる。したがって、例えば、ＭＣＳは、パンクチャされたデータ・シンボルのリソース要素におけるコードブロックに関連しうる、最もパンクチャされたコードブロックに基づいて選択されうる。
【００４８】
図５−８を参照して、他の信号の送信、または、送信の抑制のために、コードブロックをパンクチャすることに関連する方法の例が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、方法は代わりに、例えば状態図におけるように、一連の相互関連する状態またはイベントとして表されうることが認識されるべきである。さらに、１または複数の実施形態にしたがって方法を実現するために、必ずしも例示されたすべての動作が必要とされる訳ではない。
【００４９】
図５に示すように、パンクチャされたリソースのセットにしたがって、デバイスにリソースを割り当てることを容易にする方法５００の例が示される。５０２では、１または複数のデータ・リソース・ブロックにおける複数のデータ・リソース要素のうちのパンクチャされたセットが、異種の技術の信号の送信のために決定されうる。説明するように、データ・リソース要素のうちのパンクチャされたセットは、受信されたパンクチャ・パターンにしたがって決定されたり、１または複数のパラメータに基づいて選択される等されうる。さらに、データ・リソース要素のうちのパンクチャされたセットは、一例において、データ・リソース・ブロックにわたって実質的に等しく分散されうる。５０４では、複数のデータ・リソース要素の一部が、複数のデータ・リソース要素のうちのパンクチャされたセットに少なくとも部分的に基づいて、１または複数のデバイスへ割り当てられうる。したがって、例において、パンクチャされたセットにおけるリソース要素は、例えば、レガシー・デバイスや、一定のＱｏＳ要件、帯域幅要件、データ・レート要件、またはその他の要件を有するデバイス等のようなあるデバイスについて回避されうる。さらに、例において、ＭＣＳは、データ・リソース要素のうちのパンクチャされたセットにも同様に基づいて選択されうる。
【００５０】
図６に移って、異種の技術の信号を送信するため、または送信を抑制するために、コードブロックをパンクチャすることを容易にする方法６００の例が示される。６０２では、１または複数のデータ・リソース・ブロックにおける複数のデータ・リソース要素が、多くのデバイスに割り当てられうる。例において、データ・リソース・ブロックは、複数のデバイスが通信を受信しうる共有データ・チャネルの一部でありうる。６０４では、複数のデバイスのデータが、ＭＣＳおよび複数のデータ・リソース要素に少なくとも部分的に基づいて、１または複数のコードブロックへ符号化されうる。したがって、例えば、複数のデバイスへの送信のために、１または複数のコードブロックが、データ・リソース要素にマップされうる。説明するように、コードブロックは、所与のデータ・シンボルの周波数の順に、次に、データ・シンボルにわたって、データ・リソース要素上にマップされうる。６０６では、１または複数のコードブロックのうちの少なくとも一部が、異種の技術の信号の送信または抑制のためにパンクチャされうる。上述するように、パンクチャすることは、コードブロックに実質的に等しく悪影響を与えうる。この点に関し、パンクチャするためのデータ・リソース要素は、説明するように、周波数において、次に、時間において、データ・リソース要素間で実質的に等しい間隔を有するように選択されうる。さらに、これら信号は、例えばＣＳＩ−ＲＳ等のような基準信号に関連しうる。さらに、本明細書で説明するように、６０２では、データ・リソース要素を割り当てることが、パンクチャに基づきうる。
【００５１】
図７を参照して、他の信号を持つデータ・リソース要素をパンクチャする方法７００の例が例示される。７０２では、１または複数のデータ・リソース・ブロックにおいて送信する信号の数が決定されうる。説明するように、例えば、信号は、異種の技術のものでありうる。１つの例において、これら信号は、ＣＳＩ−ＲＳまたは類似の基準信号でありうる。そして、これら信号の数は、説明するように、アンテナ・ポートの数、および、信号を送信するための密度、に少なくとも部分的に基づいて決定されうる。７０４では、信号を送信するために利用可能なデータ・リソース要素の数が決定されうる。例えば、利用可能なデータ・リソース要素の数は、１または複数のデータ・リソース・ブロックにおけるデータ・リソース要素の数に関連しうる。そして、説明するように、制御データ送信のために確保されたデータ・リソース要素、レガシー基準信号を送信することに関連するシンボルにおけるデータ・リソース要素等を除外しうる。７０６では、利用可能な多くのデータ・リソース要素からなるセットが、データ・リソース要素に関連するコードブロックにおける悪影響を等化するための信号数を用いてパンクチャされうる。したがって、説明するように、これは、パンクチャして、周波数において、次に時間においてリソース要素間の間隔を実質的に等しくするために利用可能な多くのデータ・リソース要素からなるセットを、送信する信号数に依存して選択することを含みうる。
【００５２】
図８に移って、パンクチャにしたがってリソースを割り当てることを容易にする方法８００の例が例示される。８０２では、異種の技術の信号を送信するための１または複数のデータ・リソース要素が決定されうる。８０４では、デバイスと通信することに関連する１または複数のパラメータが取得されうる。説明するように、１または複数のパラメータは、デバイスがレガシー・デバイスであるか、デバイスに割り当てられた帯域幅要件、データ・レート要件、または、デバイスのＱｏＳ要件、デバイスのランクまたはジオメトリ等に関連しうる。８０６では、リソースは、１または複数のパラメータに少なくとも部分的に基づいて、１または複数のデータ・リソース要素を回避するようにデバイスへスケジュールされうる。したがって、説明するように、例えば、他のデバイスまたはしきいレベルに関して高い帯域幅要件、データ・レート要件、またはＱｏＳ要件を持つデバイスは、パンクチャに関連するものとは異なるデータ・リソース要素にスケジュールされうる。一方、その他のデバイスも、このようなリソースにスケジュールされうる。
【００５３】
本明細書に記載された１または複数の態様によれば、説明するように、推論は、コードブロックの悪影響を最小化するようにパンクチャするデータ・リソース要素を選択すること、このパンクチャに基づいて、コードブロックを生成するためのＭＣＳを決定すること、このパンクチャに基づいて、デバイスへリソースを割り当てること等に関してなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関連する推理のプロセスを称する。推論は、特定のコンテキストまたは動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００５４】
図９を参照して、リソースのうちのパンクチャされたセットに少なくとも部分的に基づいてデバイスにリソースを割り当てるシステム９００が例示される。例えば、システム９００は、基地局、モバイル・デバイス等の中に少なくとも部分的に存在しうる。システム９００は、プロセッサ、ソフトウェア、またはそれらの組み合わせ（例えば、ファームウェア）によって実現される機能を表す機能ブロックでありうる機能ブロックを含むものとして示されることが認識されるべきである。システム９００は、連携して動作しうる電子構成要素の論理グループ９０２を含む。例えば、論理グループ９０２は、異種の技術によって信号を送信または抑制するために、１または複数のデータ・リソース・ブロックにおける複数のデータ・リソース要素のうちのパンクチャされたセットを決定するための電子構成要素９０４を含みうる。説明するように、データ・リソース要素のうちのパンクチャされたセットは、受信されたパンクチャ・パターンにしたがって決定され、１または複数のパラメータに基づいて選択されうる等である。さらに、データ・リソース要素のうちのパンクチャされたセットは、一例において、データ・リソース・ブロックにわたって実質的に等しく分散されうる場合も、あるいは、されない場合もある。
【００５５】
さらに、論理グループ９０２は、複数のデータ・リソース要素のうちのパンクチャされたセットに少なくとも部分的に基づいて、複数のデータ・リソース要素の一部を、１または複数のデバイスへ割り当てるための電子構成要素９０６を備えうる。説明するように、パンクチャされたセットにおけるリソース要素は、例えばレガシー・デバイスや、一定のＱｏＳ要件、帯域幅要件、データ・レート要件、またはその他の要件を有するデバイス等について回避されうる。さらに、システム９００は、電子構成要素９０４、９０６に関連付けられた機能を実行するための命令群を保持するメモリ９０８を含みうる。メモリ９０８の外側にあると示されているが、電子構成要素９０４、９０６のうちの１または複数は、メモリ９０８内に存在しうることが理解されるべきである。
【００５６】
図１０を参照して、異種の技術の信号の送信または抑制のためにデータ・リソース要素のセットをパンクチャするシステム１０００が例示される。例えば、システム１０００は、基地局、モバイル・デバイスなどの中に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、１または複数のデータ・リソース・ブロックにおける複数のデータ・リソース要素を複数のデバイスへ割り当てるための電子構成要素１００４を含みうる。例えば、説明するように、データ・リソース・ブロックは、複数のデバイスのための共有データ・チャネルに関連しうる。さらに、論理グループ１００２は、複数のデバイスのためのデータを、ＭＣＳおよび複数のデータ・リソース要素に少なくとも部分的に基づいて１または複数のコードブロックへ符号化するための電子構成要素１００６を備えうる。
【００５７】
説明するように、例えば、電子構成要素１００６は、複数のデータ・リソース要素におけるコードブロックを、周波数において、次に時間においてシーケンシャルに（例えば、次のデータ・シンボルに移動する前に、データ・シンボルの周波数において）符号化しうる。さらに、論理グループ１００２は、異種の技術の信号の１または複数の異種のデバイスへの送信または抑制のために、１または複数のコードブロックのうちの少なくとも一部をパンクチャするための電子構成要素１００８を備えうる。説明するように、電子構成要素１００８は、データ・リソース・ブロックにおいて実質的に等しく配置されたデータ・リソース要素において信号を送信する１または複数のコードブロックをパンクチャしうる。したがって、例えば、電子構成要素１００６は、まず周波数で、次に時間で、データ・リソース要素上のコードブロックを符号化しうるので、コードブロックは、実質的に等しく配置されたパンクチャによって同じように悪影響を受ける。さらに、システム１０００は、電子構成要素１００４、１００６、１００８に関連付けられた機能を実行するための命令群を保持するメモリ１０１０を含みうる。メモリ１０１０の外側にあるとして示されているが、電子構成要素１００４、１００６、１００８のうちの１または複数は、メモリ１０１０内に存在しうることが理解されるべきである。
【００５８】
図１１に示すように、本明細書に記載されたさまざまな実施形態にしたがった無線通信システム１１００が例示されている。システム１１００は、複数のアンテナ・グループを含むことができる基地局１１０２を含む。例えば、１つのアンテナ・グループは、アンテナ１１０４およびアンテナ１１０６を含むことができ、別のグループはアンテナ１１０８およびアンテナ１１１０を備えることができ、さらに別のグループはアンテナ１１１２およびアンテナ１１１４を含むことができる。おのおののアンテナ・グループについて２本のアンテナしか例示されていないが、２本より多いアンテナ、または２本より少ないアンテナも、各グループのために利用されうる。基地局１１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００５９】
基地局１１０２は、例えばモバイル・デバイス１１１６およびモバイル・デバイス１１２２のような１または複数のモバイル・デバイスと通信しうる。しかしながら、基地局１１０２は、モバイル・デバイス１１１６およびモバイル・デバイス１１２２に類似した実質的に任意の数のモバイル・デバイスと通信しうることが理解されるべきである。モバイル・デバイス１１１６、１１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１１００を介して通信するのに適切なその他任意のデバイスでありうる。図示するように、モバイル・デバイス１１１６は、アンテナ１１１２およびアンテナ１１１４と通信している。ここで、アンテナ１１１２およびアンテナ１１１４は、順方向リンク１１１８によってモバイル・デバイス１１６へ情報を送信し、逆方向リンク１１２０によってモバイル・デバイス１１１６から情報を受信する。さらに、モバイル・デバイス１１２２はアンテナ１１０４およびアンテナ１１０６と通信している。ここで、アンテナ１１０４およびアンテナ１１０６は、順方向リンク１１２４でモバイル・デバイス１１２２へ情報を送信し、逆方向リンク１１２６でモバイル・デバイス１１２２から情報を受信する。周波数分割デュプレクス（ＦＤＤ）システムでは、例えば、順方向リンク１１１８は、逆方向リンク１１２０によって使用されるものとは異なる周波数帯域を使用し、順方向リンク１１２４は、逆方向リンク１１２６によって使用されるものとは異なる周波数帯域を使用することができる。さらに、時分割デュプレクス（ＴＤＤ）システムでは、順方向リンク１１１８および逆方向リンク１１２０は、共通の周波数帯域を使用し、順方向リンク１１２４および逆方向リンク１１２６は、共通の周波数帯域を使用しうる。
【００６０】
通信するように指定された領域および／またはアンテナのおのおののグループは、基地局１１０２のセクタと称されうる。例えば、基地局１１０２によってカバーされる領域のセクタ内のアクセス端末に通信するように、複数のアンテナが設計されうる。順方向リンク１１１８および順方向リンク１１２４による通信では、基地局１１０２の送信アンテナは、モバイル・デバイス１１１６およびモバイル・デバイス１１２２のための順方向リンク１１１８および順方向リンク１１２４の信号対雑音比を改善するためにビームフォーミングを適用しうる。また、基地局１１０２が、関連付けられた有効通信範囲にランダムに散在したモバイル・デバイス１１１６、１１２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１１１６、１１２２は、図示するように、ピア・トゥ・ピアまたはアド・ホック技術を用いて互いにダイレクトに通信しうる。例によれば、システム１１００は、複数入力複数出力（ＭＩＭＯ）通信システムでありうる。
【００６１】
図１２は、無線通信システム１２００の例を示す。無線通信システム１２００は、簡潔さの目的で、１つの基地局１２１０と１つのモバイル・デバイス１２５０とを示している。しかしながら、システム１２００は、１より多い基地局、および／または、１より多いモバイル・デバイスを含むことができ、これら追加の基地局および／またはモバイル・デバイスは、以下に説明する基地局１２１０およびモバイル・デバイス１２５０の例と実質的に同じでも、別のものでもありうることが認識されるべきである。それに加えて、基地局１２１０および／またはモバイル・デバイス１２５０は、その間の無線通信を容易にするために、本明細書に記載されたシステム（図１−３、図９−１１）、リソース・ブロック（図４）、および／または方法（図５−８）を適用しうることが認識されるべきである。
【００６２】
基地局１２１０では、多くのデータ・ストリームのためのトラフィック・データが、データ・ソース１２１２から送信（ＴＸ）データ・プロセッサ１２１４へ提供される。一例によれば、おのおののデータ・ストリームが、それぞれのアンテナを介して送信される。ＴＸデータ・プロセッサ１２１４は、トラフィック・データ・ストリームをフォーマットし、このデータ・ストリームのために選択された特定の符号化スキームに基づいて符号化し、インタリーブして、符号化されたデータを提供する。
【００６３】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１２５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１２３０によって実行または提供される指示によって決定されうる。
【００６４】
データ・ストリームの変調シンボルは、（例えば、ＯＦＤＭのために）変調シンボルを処理するＴＸ  ＭＩＭＯプロセッサ１２２０に提供される。その後、ＴＸ  ＭＩＭＯプロセッサ１２２０は、ＮＴ個の変調シンボル・ストリームをＮＴ個の送信機（ＴＭＴＲ）１２２２ｔ乃至１２２２ａに提供する。さまざまな実施形態において、ＴＸ  ＭＩＭＯプロセッサ１２２０は、データ・ストリームのシンボル、および、そのシンボルが送信されるアンテナへ、ビームフォーミング重みを適用する。
【００６５】
おのおのの送信機１２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１２２２ａ乃至１２２２ｔからのＮＴ個の変調信号は、ＮＴ個のアンテナ１２２４ａ乃至１２２４ｔそれぞれから送信される。
【００６６】
モバイル・デバイス１２５０では、送信された変調信号がＮＲ個のアンテナ１２５２ａ乃至１２５２ｒによって受信され、受信された信号が、各アンテナ１２５２からそれぞれの受信機（ＲＣＶＲ）１２５４ａ乃至１２５４ｒへ提供される。おのおのの受信機１２５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６７】
ＲＸデータ・プロセッサ１２６０は、ＮＲ個の受信機１２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１２６０は、検出されたおのおののシンボル・ストリームを復調し、デインタリーブし、復号して、そのデータ・ストリームのためのトラフィック・データを復元する。ＲＸデータ・プロセッサ１２６０による処理は、基地局１２１０におけるＴＸ  ＭＩＭＯプロセッサ１２２０およびＴＸデータ・プロセッサ１２１４によって実行されるものと相補的である。
【００６８】
プロセッサ１２７０は、上述したように、どのプリコーディング行列を使用するのかを定期的に決定する。さらに、プロセッサ１２７０は、行列インデクス部およびランク値部を備えた逆方向リンク・メッセージを規定することができる。
【００６９】
逆方向リンク・メッセージは、通信リンクおよび／または受信されたデータ・ストリームに関するさまざまなタイプの情報を備えうる。逆方向リンク・メッセージは、ＴＸデータ・プロセッサ１２３８によって処理され、変調器１２８０によって変調され、送信機１２５４ａ乃至１２５４ｒによって調整され、基地局１２１０へ送り返される。ＴＸデータ・プロセッサ１２３８はまた、データ・ソース１２３６から多くのデータ・ストリームのトラフィック・データを受け取る。
【００７０】
基地局１２１０では、モバイル・デバイス１２５０からの変調信号が、アンテナ１２２４によって受信され、受信機１２２２によって調整され、復調器１２４０によって復調され、ＲＸデータ・プロセッサ１２４２によって処理されることにより、モバイル・デバイス１２５０によって送信された逆方向リンク・メッセージが抽出される。さらに、プロセッサ１２３０は、ビームフォーミング重みを決定するためにどのプリコーディング行列を使用するかを決定するために、この抽出されたメッセージを処理する。
【００７１】
プロセッサ１２３０およびプロセッサ１２７０は、基地局１２１０およびモバイル・デバイス１２５０それぞれにおける動作を指示（例えば、制御、調整、管理等）する。プロセッサ１２３０およびプロセッサ１２７０はそれぞれ、プログラム・コードおよびデータを格納するメモリ１２３２およびメモリ１２７２に関連付けられうる。プロセッサ１２３０およびプロセッサ１２７０はまた、アップリンクおよびダウンリンクそれぞれのための周波数およびインパルス応答推定値を導出する計算をも実行する。
【００７２】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。それに加えて、少なくとも１つのプロセッサは、上述したステップおよび／または動作のうちの１または複数を実行するように動作可能な１または複数のモジュールを備えうる。
【００７３】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリート部品として存在しうる。さらに、いくつかの態様では、方法またはアルゴリズムのステップおよび／または動作は、機械読取可能な媒体および／またはコンピュータ読取可能な媒体上の１または任意の組み合わせ、または、コードおよび／または命令群のセットとして存在する。これらは、コンピュータ・プログラム製品に組み込まれうる。
【００７４】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。
【００７５】
さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に、出願当初の特許請求の範囲に記載された発明を付記する。
［発明１］
無線通信のための方法であって、
異種の技術の信号を抑制または送信するために、１または複数のデータ・リソース・ブロックにおける複数のデータ・リソース要素のうちのパンクチャされたセットを決定することと、
前記複数のデータ・リソース要素のうちのパンクチャされたセットに少なくとも部分的に基づいて、前記複数のデータ・リソース要素の一部を、１または複数のデバイスへ割り当てることと、
を備える方法。
［発明２］
前記複数のデータ・リソース要素のうちのパンクチャされたセットに少なくとも部分的に基づいて、前記複数のデータ・リソース要素の一部においてデータを符号化するための変調および符号化スキーム（ＭＣＳ）を選択すること、をさらに備える発明１に記載の方法。
［発明３］
前記複数のデータ・リソース要素にマップされた１または複数のコードブロックの期待されるパフォーマンスを計算することをさらに備え、
前記ＭＣＳを選択することはさらに、前記期待されたパフォーマンスに少なくとも部分的に基づく、発明２に記載の方法。
［発明４］
１または複数のコードブロックのうち、前記複数のデータ・リソース要素のうちのパンクチャされたセットのうちの最も大きな部分を含むコードブロックを決定することをさらに備え、
前記期待されるパフォーマンスを計算することは、前記コードブロックの期待されるパフォーマンスを計算することを含む、発明３に記載の方法。
［発明５］
前記期待されるパフォーマンスを計算することはさらに、前記ＭＣＳを用いて前記１または複数のコードブロックの期待される誤り率を決定することに少なくとも部分的に基づく、発明３に記載の方法。
［発明６］
前記複数のデータ・リソース要素を割り当てることはさらに、前記１または複数のデバイスのランク、サービス品質、形状、または、選択された変調および符号化スキーム（ＭＣＳ）に少なくとも部分的に基づく、発明１に記載の方法。
［発明７］
前記複数のデータ・リソース要素を割り当てることはさらに、前記１または複数のデバイスが、前記異種の技術のチャネル状態情報基準信号（ＣＳＩ−ＲＳ）を処理できるかに少なくとも部分的に基づく、発明１に記載の方法。
［発明８］
前記複数のデータ・リソース要素のうちのパンクチャされたセットは、前記複数のデータ・リソース要素にわたって実質的に等しく分散される、発明１に記載の方法。
［発明９］
前記１または複数のデバイスに関連するデータを符号化するために選択された変調および符号化スキーム（ＭＣＳ）に少なくとも部分的に基づいて、前記複数のデータ・リソース要素のうちのパンクチャされたセットを選択すること、をさらに備える発明１に記載の方法。
［発明１０］
前記選択することは、所与の期間中、動的に実行される、発明９に記載の方法。
［発明１１］
無線通信のための装置であって、
異種の技術の信号を抑制または送信するために、１または複数のデータ・リソース・ブロックにおける複数のデータ・リソース要素のパンクチャされたセットを決定し、
前記複数のデータ・リソース要素のうちのパンクチャされたセットに少なくとも部分的に基づいて、前記複数のデータ・リソース要素の一部を、１または複数のデバイスへ割り当てる、
ように構成された少なくとも１つのプロセッサを備える、装置。
［発明１２］
前記少なくとも１つのプロセッサはさらに、前記複数のデータ・リソース要素のうちのパンクチャされたセットに少なくとも部分的に基づいて、前記複数のデータ・リソース要素の一部においてデータを符号化するための変調および符号化スキーム（ＭＣＳ）を選択するように構成された、発明１１に記載の装置。
［発明１３］
前記少なくとも１つのプロセッサはさらに、前記複数のデータ・リソース要素にマップされた１または複数のコードブロックの期待されるパフォーマンスを決定し、
前記少なくとも１つのプロセッサはさらに、前記期待されたパフォーマンスに少なくとも部分的に基づいて前記ＭＣＳを選択する、発明１２に記載の装置。
［発明１４］
前記少なくとも１つのプロセッサはさらに、前記１または複数のコードブロックのうち、前記複数のデータ・リソース要素のパンクチャされたセットのうちの最も大きな部分を含むコードブロックを決定するように構成され、
前記少なくとも１つのプロセッサは、少なくとも、前記コードブロックの期待されるパフォーマンスを決定することによって、前記期待されるパフォーマンスを決定する、発明１３に記載の装置。
［発明１５］
前記少なくとも１つのプロセッサはさらに、前記ＭＣＳを用いて前記１または複数のコードブロックの期待される誤り率を決定することに少なくとも部分的に基づいて、前記期待されるパフォーマンスを決定する、発明１３に記載の装置。
［発明１６］
前記少なくとも１つのプロセッサはさらに、前記１または複数のデバイスのランク、サービス品質、形状、または、選択された変調および符号化スキーム（ＭＣＳ）に少なくとも部分的に基づいて、前記複数のデータ・リソース要素を割り当てる、発明１１に記載の装置。
［発明１７］
前記少なくとも１つのプロセッサはさらに、前記１または複数のデバイスが、前記異種の技術のチャネル状態情報基準信号（ＣＳＩ−ＲＳ）を処理できるかに少なくとも部分的に基づいて、前記複数のデータ・リソース要素を割り当てる、発明１１に記載の装置。
［発明１８］
前記複数のデータ・リソース要素のうちのパンクチャされたセットは、前記複数のデータ・リソース要素にわたって実質的に等しく分散される、発明１１に記載の装置。
［発明１９］
前記少なくとも１つのプロセッサはさらに、前記１または複数のデバイスに関連するデータを符号化するために選択された変調および符号化スキーム（ＭＣＳ）に少なくとも部分的に基づいて、前記複数のデータ・リソース要素のうちのパンクチャされたセットを選択するように構成された、発明１１に記載の装置。
［発明２０］
前記少なくとも１つのプロセッサは、前記複数のデータ・リソース要素のパンクチャされたセットを動的に選択する、発明１９に記載の装置。
［発明２１］
無線通信のための装置であって、
異種の技術の信号を抑制または送信するために、１または複数のデータ・リソース・ブロックにおける複数のデータ・リソース要素のうちのパンクチャされたセットを決定する
手段と、
前記複数のデータ・リソース要素のうちのパンクチャされたセットに少なくとも部分的に基づいて、前記複数のデータ・リソース要素の一部を、１または複数のデバイスへ割り当てる手段と、
を備える装置。
［発明２２］
前記複数のデータ・リソース要素のうちのパンクチャされたセットに少なくとも部分的に基づいて、前記複数のデータ・リソース要素の一部においてデータを符号化するための変調および符号化スキーム（ＭＣＳ）を選択する手段をさらに備える、発明２１に記載の装置。
［発明２３］
前記複数のデータ・リソース要素にマップされた１または複数のコードブロックの期待されるパフォーマンスを計算する手段をさらに備え、
前記選択する手段は、前記期待されたパフォーマンスに少なくとも部分的に基づいて前記ＭＣＳを選択する、発明２２に記載の装置。
［発明２４］
１または複数のコードブロックのうち、前記複数のデータ・リソース要素のパンクチャされたセットのうちの最も大きな部分を含むコードブロックを決定する手段をさらに備え、
前記計算する手段は、前記コードブロックの期待されるパフォーマンスを計算する、発明２３に記載の装置。
［発明２５］
前記計算する手段はさらに、前記ＭＣＳを用いて前記１または複数のコードブロックの期待される誤り率を決定することに少なくとも部分的に基づいて、前記期待されるパフォーマンスを計算する、発明２３に記載の装置。
［発明２６］
前記割り当てる手段はさらに、前記１または複数のデバイスのランク、サービス品質、形状、または、選択された変調および符号化スキーム（ＭＣＳ）に少なくとも部分的に基づいて、前記複数のデータ・リソース要素を割り当てる、発明２１に記載の装置。
［発明２７］
前記割り当てる手段はさらに、前記１または複数のデバイスが、前記異種の技術のチャネル状態情報基準信号（ＣＳＩ−ＲＳ）を処理できるかに少なくとも部分的に基づいて、前記複数のデータ・リソース要素を割り当てる、発明２１に記載の装置。
［発明２８］
前記複数のデータ・リソース要素のうちのパンクチャされたセットは、前記複数のデータ・リソースにわたって実質的に等しく分散される、発明２１に記載の装置。
［発明２９］
前記決定する手段はさらに、前記１または複数のデバイスに関連するデータを符号化するために選択された変調および符号化スキーム（ＭＣＳ）に少なくとも部分的に基づいて、前記複数のデータ・リソース要素のうちのパンクチャされたセットを選択する、発明２１に記載の装置。
［発明３０］
前記決定する手段は、所与の期間において、前記複数のデータ・リソース要素のうちのパンクチャされたセットを動的に選択する、発明２９１に記載の装置。
［発明３１］
コンピュータ・プログラム製品であって、
少なくとも１つのコンピュータに対して、異種の技術の信号を抑制または送信するために、１または複数のデータ・リソース・ブロックにおける複数のデータ・リソース要素のうちのパンクチャされたセットを決定させるための命令群と、
前記少なくとも１つのコンピュータに対して、複数のデータ・リソース要素のうちのパンクチャされたセットに少なくとも部分的に基づいて、複数のデータ・リソース要素の一部を、１または複数のデバイスへ割り当てさせるための命令群と、
を備えるコンピュータ読取可能な記憶媒体を備える、コンピュータ・プログラム製品。
［発明３２］
前記コンピュータ読取可能な記憶媒体はさらに、前記少なくとも１つのコンピュータに対して、前記複数のデータ・リソース要素のうちのパンクチャされたセットに少なくとも部分的に基づいて、前記複数のデータ・リソース要素の一部においてデータを符号化するための変調および符号化スキーム（ＭＣＳ）を選択させるための命令群を備える、発明３１に記載のコンピュータ・プログラム製品。
［発明３３］
前記コンピュータ読取可能な記憶媒体はさらに、前記少なくとも１つのコンピュータに対して、前記複数のデータ・リソース要素にマップされた１または複数のコードブロックの期待されるパフォーマンスを決定させるための命令群を備え、
前記少なくとも１つのコンピュータに対して選択させるための命令群はさらに、前記期待されたパフォーマンスに少なくとも部分的に基づいて前記ＭＣＳを選択する、発明３２に記載のコンピュータ・プログラム製品。
［発明３４］
前記コンピュータ読取可能な記憶媒体はさらに、前記少なくとも１つのコンピュータに対して、前記１または複数のコードブロックのうち、前記複数のデータ・リソース要素のパンクチャされたセットのうちの最も大きな部分を含むコードブロックを決定させるための命令群を備え、
前記少なくとも１つのコンピュータに対して決定させるための命令群は、少なくとも、前記コードブロックの期待されるパフォーマンスを決定することによって、前記期待されるパフォーマンスを決定する、発明３３に記載のコンピュータ・プログラム製品。
［発明３５］
前記少なくとも１つのコンピュータに対して決定させるための命令群はさらに、前記ＭＣＳを用いて前記１または複数のコードブロックの期待される誤り率を決定することに少なくとも部分的に基づいて、前記期待されるパフォーマンスを決定する、発明３３に記載のコンピュータ・プログラム製品。
［発明３６］
前記少なくとも１つのコンピュータに対して割り当てさせるための命令群はさらに、前記１または複数のデバイスのランク、サービス品質、形状、または、選択された変調および符号化スキーム（ＭＣＳ）に少なくとも部分的に基づいて、前記複数のデータ・リソース要素を割り当てる、発明３１に記載のコンピュータ・プログラム製品。
［発明３７］
前記少なくとも１つのコンピュータに対して割り当てさせるための命令群はさらに、前記１または複数のデバイスが、前記異種の技術のチャネル状態情報基準信号（ＣＳＩ−ＲＳ）を処理できるかに少なくとも部分的に基づいて、前記複数のデータ・リソース要素を割り当てる、発明３１に記載のコンピュータ・プログラム製品。
［発明３８］
前記複数のデータ・リソース要素のうちのパンクチャされたセットは、前記複数のデータ・リソースにわたって実質的に等しく分散される、発明３１に記載のコンピュータ・プログラム製品。
［発明３９］
前記コンピュータ読取可能な記憶媒体はさらに、前記少なくとも１つのコンピュータに対して、前記１または複数のデバイスに関連するデータを符号化するために選択された変調および符号化スキーム（ＭＣＳ）に少なくとも部分的に基づいて、前記複数のデータ・リソース要素のうちのパンクチャされたセットを選択させるための命令群を備える、発明３１に記載のコンピュータ・プログラム製品。
［発明４０］
前記少なくとも１つのコンピュータに対して選択させるための命令群は、前記複数のデータ・リソース要素のうちのパンクチャされたセットを動的に選択する、発明３９に記載のコンピュータ・プログラム製品。
【図１】
0005596162.tif 000002
【図２】
0005596162.tif 000003
【図３】
0005596162.tif 000004
【図４】
0005596162.tif 000005
【図５】
0005596162.tif 000006
【図６】
0005596162.tif 000007
【図７】
0005596162.tif 000008
【図８】
0005596162.tif 000009
【図９】
0005596162.tif 000010
【図１０】
0005596162.tif 000011
【図１１】
0005596162.tif 000012
【図１２】
0005596162.tif 000013